(57)【特許請求の範囲】
【請求項１】
主軸と送り軸との同期運転を制御する工作機械の制御装置であって、
タップ加工プログラムに基づき主軸指令及び送り軸指令を作成する数値制御部と、
前記主軸指令に従って前記主軸の回転動作を制御する主軸制御部と、
前記主軸の回転位置を検出する回転検出部と、
前記送り軸指令に従って、前記回転位置に基づき前記送り軸の送り動作を制御する送り軸制御部とを具備し、
前記数値制御部は、加工開始位置から目標ねじ深さに至る間の前記主軸の総回転量と最高回転速度とを前記タップ加工プログラムから取得して、該総回転量と該最高回転速度とを前記主軸指令として前記主軸制御部に送る主軸指令出力部を備え、
前記主軸制御部は、
前記最高回転速度を目標値として前記加工開始位置から前記目標ねじ深さに向かって前記主軸を、駆動源の許容電流を最大限に利用した最大能力で加速回転させる初期動作制御部と、
前記最大能力での加速回転中に前記回転位置に基づき最大加速度を検出する最大加速度検出部と、
前記総回転量と前記回転位置とに基づき、現在位置から前記目標ねじ深さに至るまでの前記主軸の残回転量を検出する残回転量検出部と、
前記回転位置に基づき前記主軸の現在速度を検出する現在速度検出部と、
前記最大能力での加速回転の後に、前記最大加速度と前記残回転量と前記現在速度とに基づき、前記主軸を前記最大加速度に対応する最大減速度で減速回転させて前記目標ねじ深さに到達させる位置決め動作制御部と、
を備える、制御装置。
【請求項２】
前記送り軸の送り位置を検出する送り検出部をさらに具備し、
前記数値制御部は、前記加工開始位置から前記目標ねじ深さに至る間の前記送り軸の総送り量とねじピッチとを前記タップ加工プログラムから取得して、該総送り量と該ねじピッチとを前記送り軸指令として前記送り軸制御部に送る送り軸指令出力部を備え、
前記送り軸制御部は、
前記ねじピッチと前記回転位置とに基づき前記送り軸の送り動作を制御する送り動作制御部と、
前記総送り量と前記送り位置とに基づき、現在位置から前記目標ねじ深さに至るまでの前記送り軸の残送り量を検出する残送り量検出部とを備える、
請求項１に記載の制御装置。
【請求項３】
前記数値制御部は、前記残回転量に基づき前記主軸の現在位置を認識するとともに前記残送り量に基づき前記送り軸の現在位置を認識する位置認識部を備える、請求項２に記載の制御装置。
【請求項４】
前記数値制御部は、前記残回転量と前記残送り量と前記ねじピッチとに基づき、前記同期運転の同期誤差を計算する同期誤差計算部を備える、請求項２又は３に記載の制御装置。
【請求項５】
前記位置決め動作制御部は、前記主軸を前記目標ねじ深さで停止させる、請求項１に記載の制御装置。
【請求項６】
前記数値制御部は、前記残回転量を監視して前記残回転量が第１の所定値以下になったときに、タップ加工が前記目標ねじ深さに達したと判断し、前記主軸指令出力部が、前記目標ねじ深さから戻り完了位置に至る間の前記主軸の総戻り回転量と最高戻り回転速度とを前記タップ加工プログラムから取得して、該総戻り回転量と該最高戻り回転速度とを前記主軸指令として前記主軸制御部に送り、
前記主軸制御部は、前記初期動作制御部が、前記最高戻り回転速度を目標値として前記目標ねじ深さから前記戻り完了位置に向かって前記主軸を、駆動源の許容電流を最大限に利用した最大能力で加速逆回転させ、前記最大加速度検出部が、前記最大能力での加速逆回転中に前記回転位置に基づき逆回転の最大加速度を検出し、前記残回転量検出部が、前記総戻り回転量と前記回転位置とに基づき、現在位置から前記戻り完了位置に至るまでの前記主軸の残戻り回転量を検出し、前記現在速度検出部が、前記回転位置に基づき前記主軸の逆回転の現在速度を検出し、前記位置決め動作制御部が、前記最大能力での加速逆回転の後に、前記逆回転の最大加速度と前記残戻り回転量と前記逆回転の現在速度とに基づき、前記主軸を前記逆回転の最大加速度に対応する最大減速度で減速逆回転させるとともに前記戻り完了位置で停止させる、
請求項５に記載の制御装置。
【請求項７】
前記位置決め動作制御部は、前記主軸を前記目標ねじ深さで停止させずに、前記最大能力での減速回転における最大減速度と同じ逆回転の加速度で、前記主軸を予め定めた回転位置まで加速逆回転させる、請求項１に記載の制御装置。
【請求項８】
前記数値制御部は、前記残回転量を監視して前記残回転量が第１の所定値以下になったときに、タップ加工が前記目標ねじ深さに達したと判断し、前記主軸指令出力部が、前記目標ねじ深さから戻り完了位置に至る間の前記主軸の総戻り回転量と最高戻り回転速度とを前記タップ加工プログラムから取得して、該総戻り回転量と該最高戻り回転速度とを前記主軸指令として前記主軸制御部に送り、
前記主軸制御部は、前記初期動作制御部が、前記最高戻り回転速度を目標値として前記予め定めた回転位置から前記戻り完了位置に向かって前記主軸を、駆動源の許容電流を最大限に利用した最大能力で加速逆回転させ、前記残回転量検出部が、前記総戻り回転量と前記回転位置とに基づき、現在位置から前記戻り完了位置に至るまでの前記主軸の残戻り回転量を検出し、前記現在速度検出部が、前記回転位置に基づき前記主軸の逆回転の現在速度を検出し、前記位置決め動作制御部が、前記最大能力での加速逆回転の後に、前記逆回転の加速度と前記残戻り回転量と前記逆回転の現在速度とに基づき、前記主軸を前記逆回転の加速度に対応する最大減速度で減速逆回転させるとともに前記戻り完了位置で停止させる、
請求項７に記載の制御装置。
【請求項９】
前記数値制御部は、前記残戻り回転量を監視して前記残戻り回転量が第２の所定値以下になったときに、戻り動作が完了したと判断する、請求項６又は８に記載の制御装置。
【請求項１０】
前記送り軸の送り位置を検出する送り検出部をさらに具備し、
前記数値制御部は、タップ加工が前記目標ねじ深さに達したと判断したときに、前記目標ねじ深さから前記戻り完了位置に至る間の前記送り軸の総戻り送り量とねじピッチとを前記タップ加工プログラムから取得して、該総戻り送り量と該ねじピッチとを前記送り軸指令として前記送り軸制御部に送る送り軸指令出力部を備え、
前記送り軸制御部は、
前記ねじピッチと前記回転位置とに基づき前記送り軸の戻り送り動作を制御する送り動作制御部と、
前記総戻り送り量と前記送り位置とに基づき、現在位置から前記戻り完了位置に至るまでの前記送り軸の残戻り送り量を検出する残送り量検出部とを備える、
請求項６、８又は９に記載の制御装置。
【請求項１１】
前記数値制御部は、前記残戻り回転量に基づき前記主軸の現在位置を認識するとともに前記残戻り送り量に基づき前記送り軸の現在位置を認識する位置認識部を備える、請求項１０に記載の制御装置。
【請求項１２】
前記数値制御部は、前記残戻り回転量と前記残戻り送り量と前記ねじピッチとに基づき、前記同期運転の同期誤差を計算する同期誤差計算部を備える、請求項１０又は１１に記載の制御装置。
【請求項１３】
前記数値制御部は、前記同期誤差を表示装置に表示させる表示制御部を備える、請求項４又は１２に記載の制御装置。
【請求項１４】
主軸と送り軸との同期運転を制御する工作機械の制御方法であって、
制御装置が、
加工開始位置から目標ねじ深さに至る間の前記主軸の総回転量と最高回転速度とをタップ加工プログラムから取得し、
前記最高回転速度を目標値として前記加工開始位置から前記目標ねじ深さに向かって前記主軸を、駆動源の許容電流を最大限に利用した最大能力で加速回転させ、
前記最大能力での加速回転中に前記主軸の回転位置フィードバック値に基づき最大加速度を検出し、
前記総回転量と前記回転位置フィードバック値とに基づき、現在位置から前記目標ねじ深さに至るまでの前記主軸の残回転量を検出し、
前記回転位置フィードバック値に基づき前記主軸の現在速度を検出し、
前記最大能力での加速回転の後に、前記最大加速度と前記残回転量と前記現在速度とに基づき、前記主軸を前記最大加速度に対応する最大減速度で減速回転させて前記目標ねじ深さに到達させる、
制御方法。
【発明の詳細な説明】
【技術分野】
【０００１】
本発明は、主軸と送り軸との同期運転を制御する工作機械の制御装置に関する。本発明はまた、主軸と送り軸との同期運転を制御する工作機械の制御方法に関する。
【背景技術】
【０００２】
主軸と送り軸との同期運転によりタップ加工を行う工作機械においては、加工精度を向上させたりサイクルタイムを短縮したりするための構成が種々提案されている。例えば特許文献１は、主軸の回転に送り軸が追従して動作しながらタップ加工を行うねじ加工装置であって、主軸の回転速度及び回転加速度とねじピッチとから送り軸に対する送り指令値を演算するとともに、主軸の実際の回転位置に従って送り指令値を補正することで、タップ加工の精度を向上させるようにしたねじ加工装置を開示する。また特許文献２は、タップ加工のために主軸と送り軸との同期制御を行う数値制御装置の主軸モータ加減速制御方法であって、数値制御装置が、主軸の出力特性に対応する加減速指令を作成して、この加減速指令により主軸を制御することで主軸の応答性を向上させ、結果としてサイクルタイムを短縮できるようにした主軸モータ加減速制御方法を開示する。
【先行技術文献】
【特許文献】
【０００３】
【特許文献１】特許第２６２９７２９号公報
【特許文献２】特許第３５５３７４１号公報
【発明の概要】
【発明が解決しようとする課題】
【０００４】
主軸と送り軸との同期運転によりタップ加工を行う工作機械では、一般に、主軸が有する加速能力に依存してサイクルタイムが決まる。数値制御装置が主軸の出力特性に対応する加減速指令を作成するために要するパラメータの設定や調整等の、高度な技術が要求される予備作業を行うことなく、より簡単な構成で、主軸の加速能力を最大限に発揮させる制御を行ってサイクルタイムを短縮できるようにすることが望まれている。
【課題を解決するための手段】
【０００５】
本発明の一態様は、主軸と送り軸との同期運転を制御する工作機械の制御装置であって、タップ加工プログラムに基づき主軸指令及び送り軸指令を作成する数値制御部と、主軸指令に従って主軸の回転動作を制御する主軸制御部と、主軸の回転位置を検出する回転検出部と、送り軸指令に従って、主軸の回転位置に基づき送り軸の送り動作を制御する送り軸制御部とを具備し、数値制御部は、加工開始位置から目標ねじ深さに至る間の主軸の総回転量と最高回転速度とをタップ加工プログラムから取得して、総回転量と最高回転速度とを主軸指令として主軸制御部に送る主軸指令出力部を備え、主軸制御部は、最高回転速度を目標値として加工開始位置から目標ねじ深さに向かって主軸を、駆動源の許容電流を最大限に利用した最大能力で加速回転させる初期動作制御部と、最大能力での加速回転中に主軸の回転位置に基づき最大加速度を検出する最大加速度検出部と、総回転量と主軸の回転位置とに基づき、現在位置から目標ねじ深さに至るまでの主軸の残回転量を検出する残回転量検出部と、主軸の回転位置に基づき主軸の現在速度を検出する現在速度検出部と、最大能力での加速回転の後に、最大加速度と残回転量と現在速度とに基づき、主軸を最大加速度に対応する最大減速度で減速回転させて目標ねじ深さに到達させる位置決め動作制御部と、を備える、制御装置である。
【０００６】
本発明の他の態様は、主軸と送り軸との同期運転を制御する工作機械の制御方法であって、制御装置が、加工開始位置から目標ねじ深さに至る間の主軸の総回転量と最高回転速度とをタップ加工プログラムから取得し、最高回転速度を目標値として加工開始位置から目標ねじ深さに向かって主軸を、駆動源の許容電流を最大限に利用した最大能力で加速回転させ、最大能力での加速回転中に主軸の回転位置フィードバック値に基づき最大加速度を検出し、総回転量と回転位置フィードバック値とに基づき、現在位置から目標ねじ深さに至るまでの主軸の残回転量を検出し、回転位置フィードバック値に基づき主軸の現在速度を検出し、最大能力での加速回転の後に、最大加速度と残回転量と現在速度とに基づき、主軸を最大加速度に対応する最大減速度で減速回転させて目標ねじ深さに到達させる、制御方法である。
【発明の効果】
【０００７】
一態様に係る制御装置によれば、主軸に加工開始位置から目標ねじ深さまでの切削動作を行わせる際に、数値制御部が主軸制御部に対して、主軸の総回転量と最高回転速度のみを主軸指令として通知し、主軸制御部がこの主軸指令に従い、最高回転速度を目標に許容電流を最大限に使用した最大出力で主軸を加速させて切削動作を実行するとともに、その間の最大加速度と逐次検出する主軸の残回転量及び現在速度とに基づき、主軸を最大減速度で減速させながら目標ねじ深さまでの切削動作を最短時間で継続実行して目標ねじ深さに到達させる構成としたから、数値制御部に対し主軸の出力特性に対応する加減速指令を作成するためのパラメータの設定や調整等を行う必要がなく、より簡単な構成で、主軸の加速能力を最大限に発揮させる加減速制御を行って、タップ加工のサイクルタイムを短縮することが可能になる。
【０００８】
他の態様に係る制御方法によれば、上記した制御装置の効果と同等の効果が奏される。
【図面の簡単な説明】
【０００９】
【図１】工作機械制御装置の一実施形態の構成を示す機能ブロック図である。
【図２】工作機械制御方法の一実施形態としてのタップ加工の切削動作制御方法を示すフローチャートである。
【図３】図２の実施形態における主軸の動作の一例を示す図である。
【図４】図２の実施形態における主軸の動作の他の例を示す図である。
【図５】図２の実施形態における主軸の動作のさらに他の例を示す図である。
【図６】図２の実施形態における主軸の動作のさらに他の例を示す図である。
【図７】工作機械制御方法の一実施形態としてのタップ加工の戻り動作制御方法を示すフローチャートである。
【図８】図１の制御装置の変形例の構成を示す機能ブロック図である。
【図９】図１の制御装置の他の変形例の構成を示す機能ブロック図である。
【図１０】工作機械制御方法の他の実施形態としてのタップ加工の切削及び戻り動作制御方法を示すフローチャートである。
【図１１】図１０の実施形態における主軸の動作の一例を示す図である。
【図１２】図１０の実施形態における主軸の動作の他の例を示す図である。
【発明を実施するための形態】
【００１０】
以下、添付図面を参照して本発明の実施の形態を説明する。全図面に渡り、対応する構成要素には共通の参照符号を付す。
【００１１】
図１は、一実施形態による工作機械の制御装置１０の構成を機能ブロックで示す。制御装置１０は、主軸１２と送り軸１４との同期運転によりタップ加工を行う工作機械（例えば旋盤、ボール盤、マシニングセンタ等）において、送り軸１４が、タップ加工プログラムＰで指定されるねじピッチを考慮しながら、主軸１２の回転動作に追従するように動作する同期運転を制御するものである。図示しないが、主軸１２は、ワークや工具を把持する把持部を加工に必要な速度で回転運動させるサーボモータ等の駆動装置に設定される制御軸である。図示しないが、送り軸１４は、ワークや工具を支持する支持部を加工に必要な速度で送り運動させるサーボモータ等の駆動装置に設定される制御軸である。例えば旋盤では、主軸１２で回転するワークに対して工具を送り軸１４で直線送りしたり、主軸１２で回転するワークを工具に対して送り軸１４で直線送りしたりすることができる。またボール盤では、主軸１２で回転する工具をワークに対して送り軸１４で直線送りしたり、主軸１２で回転する工具に対してワークを送り軸１４で直線送りしたりすることができる。いずれの場合も、動作中の加減速トルクに比較的余裕の有る送り軸１４が、動作中の加減速トルクに比較的余裕の無い主軸１２に追従するように動作することで、同期誤差を低減して加工精度を向上させることができる。なお本発明において、工作機械の構成は特に限定されない。
【００１２】
制御装置１０は、タップ加工プログラムＰに基づき主軸指令ＣＳ及び送り軸指令ＣＦを作成する数値制御部１６と、主軸指令ＣＳに従って主軸１２の回転動作を制御する主軸制御部１８と、主軸１２の回転位置を検出する回転検出部２０と、送り軸指令ＣＦに従って、回転検出部２０が検出した回転位置に基づき送り軸１４の送り動作を制御する送り軸制御部２２とを備える。数値制御部１６は、タップ加工プログラムＰを解釈するプログラム解釈部２４と、プログラム解釈部２４の解釈に従い主軸指令ＣＳを作成して、主軸制御部１８に主軸指令ＣＳを送る主軸指令出力部２６と、プログラム解釈部２４の解釈に従い送り軸指令ＣＦを作成して、送り軸制御部２２に送り軸指令ＣＦを送る送り軸指令出力部２８とを備える。数値制御部１６は、公知のＣＮＣ装置のハードウェア構成を有することができる。
【００１３】
主軸指令出力部２６は、タップ加工の開始に先立ち、プログラム解釈部２４が解釈したタップ加工プログラムＰの指令値から、加工開始位置（回転位置）から目標ねじ深さ（回転位置）に至る間の主軸１２の総回転量Ｓ０と最高回転速度Ｖ０とを取得して、これら総回転量Ｓ０と最高回転速度Ｖ０とを主軸指令ＣＳとして主軸制御部１８に送る。例えばタップ加工プログラムＰが、主軸１２の最高回転速度Ｖ０を３０００／ｍｉｎとして、ねじピッチ１．２５ｍｍ、ねじ深さ３０ｍｍの雌ねじを加工する指令を含む場合、加工開始位置から目標ねじ深さに至る間の主軸１２の総回転量Ｓ０は、３０÷１．２５＝２４（ｒｅｖ）となるから、主軸指令出力部２６は、Ｖ０＝３０００（ｍｉｎ−１）とＳ０＝２４（ｒｅｖ）とを主軸制御部１８に通知する。このように主軸指令ＣＳは、主軸１２を目標ねじ深さまで回転運動させるための位置指令や加減速指令を含まないものとなっている。
【００１４】
主軸制御部１８は、回転検出部２０が検出した主軸１２の回転位置（フィードバック値。以下、回転位置ＦＢＳ。）を用いて、一般的なフィードバック制御により主軸１２の回転動作を制御する。送り軸制御部２２は、送り軸１４の送り位置のフィードバック値に加えて、主軸１２の回転位置ＦＢＳを用いて、フィードバック制御により主軸１２の動作に追従する送り軸１４の送り動作を制御する。なお回転検出部２０は、主軸１２の駆動装置の動作位置を検出するエンコーダ等の位置検出器（図示せず）の出力から、回転位置ＦＢＳを取得することができる。
【００１５】
主軸制御部１８は、主軸指令出力部２６から送られた最高回転速度Ｖ０（ｍｉｎ−１）を目標値として、加工開始位置から目標ねじ深さに向かって主軸１２を最大能力で加速回転させる初期動作制御部３０と、最大能力での加速回転中に回転位置ＦＢＳに基づき最大加速度Ａ０（ｍｉｎ−１／ｓ）を検出する最大加速度検出部３２と、主軸指令出力部２６から送られた総回転量Ｓ０（ｒｅｖ）と回転位置ＦＢＳとに基づき、現在位置（回転位置）から目標ねじ深さに至るまでの主軸１２の残回転量Ｓｒ（ｒｅｖ）を検出する残回転量検出部３４と、回転位置ＦＢＳに基づき主軸１２の現在速度Ｖｃ（ｍｉｎ−１）を検出する現在速度検出部３６と、最大能力での加速回転の後に、最大加速度Ａ０と残回転量Ｓｒと現在速度Ｖｃとに基づき、主軸１２を最大能力で減速回転させて目標ねじ深さに到達させる位置決め動作制御部３８とを備える。一実施形態では、位置決め動作制御部３８は、主軸１２を最大能力で減速回転させるとともに目標ねじ深さで停止させるように構成できる。
【００１６】
図２は、制御装置１０が実行する工作機械制御方法の一実施形態としての、タップ加工における主軸１２の切削動作制御方法を示す。以下、図２に例示するタップ加工制御フローを合わせて参照して、制御装置１０の構成の詳細を説明する。まずステップＳ１で、数値制御部１６（主軸指令出力部２６）は主軸制御部１８に、主軸１２の総回転量Ｓ０と最高回転速度Ｖ０とを指令する。ステップＳ２で、主軸制御部１８（初期動作制御部３０、最大加速度検出部３２、残回転量検出部３４）は、加工開始位置から、最高回転速度Ｖ０を目標速度として主軸１２を、駆動源の許容電流を最大限に利用した最大能力で加速回転させてタップ加工を実行し、その間の最大加速度Ａ０を検出するとともに、現在位置からの残回転量Ｓｒを逐次検出する。検出した残回転量Ｓｒは、検出の都度、主軸制御部１８が数値制御部１６に通知する。
【００１７】
次にステップＳ３で、主軸制御部１８（現在速度検出部３６）は、最大能力での加速回転中に現在速度Ｖｃを逐次検出し、検出の都度、現在速度Ｖｃが最高回転速度Ｖ０に到達していないか否かを判断する。ＶｃがＶ０に到達していない場合、ステップＳ４で、主軸制御部１８は、残回転量Ｓｒが総回転量Ｓ０の１／２以下になっているか否かを判断する。ＳｒがＳ０の１／２以下になっている場合、ステップＳ５で、主軸制御部１８は、主軸１２を、駆動源の許容電流を最大限に利用した最大能力で減速回転させてタップ加工を継続実行する。ＳｒがＳ０の１／２以下になっていない場合はステップＳ３に戻る。
【００１８】
ここで図３を参照すると、現在速度Ｖｃが最高回転速度Ｖ０に到達する前に残回転量Ｓｒが総回転量Ｓ０の１／２になった場合（ステップＳ３及びＳ４の判断がいずれもＹＥＳの場合）の、主軸１２の動作が、速度−時間曲線で示されている。図３において、Ｖｂは、始動から速度Ｖｂまでは一定トルクでの加速（つまり一定加速度）が可能な回転速度（例えばサーボモータの基底速度）として、主軸１２に予め設定されたものであって、例えば制御装置１０のメモリ（図示せず）に制御用パラメータの１つとして格納できるものである。なお実用上、速度Ｖｂは、サーボモータの基底速度（サーボモータと主軸１２との間に減速比が存在する場合は減速比を考慮した速度）以下であればよい。
【００１９】
ステップＳ２における主軸１２の最大能力の加速回転は、図３の時間Ｔ１及びＴ２で実行され、時間Ｔ１の一定加速度の間に最大加速度Ａ０が検出される。主軸１２の回転速度がＶｂを超えると、例えばサーボモータの特性により、主軸１２の加速度は最大加速度Ａ０から漸減する。残回転量Ｓｒが総回転量Ｓ０の１／２になった（つまり加工開始からの回転量が総回転量Ｓ０の１／２になった）時点Ａ（ステップＳ４の判断がＹＥＳとなった時点）で、主軸１２の動作は加速回転から減速回転に変わり、時間Ｔ３で、ステップＳ５における主軸１２の最大能力での減速回転が実行される。時間Ｔ３では、点Ａから速度Ｖｂを目標値として主軸１２を減速回転させるが、この間、例えばサーボモータの特性により、主軸１２の減速度は漸増する。最大能力での減速回転中も、主軸制御部１８（残回転量検出部３４、現在速度検出部３６）は、主軸１２の現在位置からの残回転量Ｓｒ及び現在速度Ｖｃを逐次検出する。このように、時間Ｔ１〜Ｔ３では、主軸制御部１８は主軸１２を速度制御する（ステップ状の速度指令を破線で例示する）。
【００２０】
ステップＳ５の後に、主軸制御部１８（位置決め動作制御部３８）は、逐次検出されている残回転量Ｓｒ（ｒｅｖ）と現在速度Ｖｃ（ｍｉｎ−１）とを監視して、現在速度Ｖｃ（ｍｉｎ−１）から最大加速度Ａ０（ｍｉｎ−１／ｓ）に対応する最大減速度Ａ０（負の値）で減速したときにＳｒ＝０となる（つまり目標ねじ深さに到達する）ことが予測される時点Ｂ（図３）の位置を、Ｓｒ＝０の点から見た残回転量Ｓｒ（負の値）の絶対値として、下記の式により求める。
公式：（Ｖｃ／６０）２＝２×｜Ａ０｜／６０×｜Ｓｒ｜から、
｜Ｓｒ｜＝Ｖｃ２／｜Ａ０｜／１２０
【００２１】
ここで、この実施形態では、点Ｂから主軸１２を一定の最大減速度Ａ０で減速することを前提とする。したがって点Ｂでは、主軸１２の現在速度ＶｃはＶｂに達しているものとする。つまり点Ｂの位置｜Ｓｒ｜は、
｜Ｓｒ｜＝Ｖｂ２／｜Ａ０｜／１２０
として求めることができる。
【００２２】
また、この実施形態では、主軸１２の加速に必要なトルク（以下、加速トルク）と減速に必要なトルク（以下、減速トルク）とは互いに等しいものとする。一般に、主軸１２の回転中は機械構造上の負荷（抵抗）が発生し、加速トルクは減速トルクよりも大きくなるので、加速トルクと減速トルクとが等しい場合には、同じ速度変化で比較すると最大能力での加速時間が最大能力での減速時間よりも長くなる。したがって実際には、主軸１２は、点Ａから減速した後に時間Ｔ２よりも短い時間で速度Ｖｂに到達し、このときの位置｜Ｓｒ｜は
｜Ｓｒ｜＞Ｖｃ２／｜Ａ０｜／１２０
であって、その後に一定速度Ｖｂで極少時間だけ回転することにより、
｜Ｓｒ｜＝Ｖｂ２／｜Ａ０｜／１２０
の点Ｂに到達することになる（図３）。
【００２３】
再び図２を参照すると、ステップＳ６で、主軸制御部１８（位置決め動作制御部３８）は、主軸１２の現在位置における残回転量の絶対値｜Ｓｒ｜が、｜Ｓｒ｜＝Ｖｂ２／｜Ａ０｜／１２０を満たしているか否か（つまり主軸１２の回転位置が点Ｂに到達したか否か）を判断する。｜Ｓｒ｜＝Ｖｂ２／｜Ａ０｜／１２０を満たしている場合、ステップＳ７で、主軸制御部１８（位置決め動作制御部３８）は、主軸１２を最大減速度Ａ０で減速回転してＳｒ＝０の点（つまり目標ねじ深さ）に到達させるための指令（一実施形態では、目標ねじ深さで停止させるための指令）を作成し、この指令により主軸１２を位置制御する。｜Ｓｒ｜＝Ｖｂ２／｜Ａ０｜／１２０を満たしていない場合は、この等式が満たされるまで判断を繰り返す。主軸１２は、主軸制御部１８（位置決め動作制御部３８）からの指令に従い、点Ｂから目標ねじ深さに向かって最大減速度Ａ０で減速回転してタップ加工を実行し、Ｓｒ＝０になった時点で目標ねじ深さに到達する（一実施形態では、目標ねじ深さで停止する）。このように、点Ｂから目標ねじ深さに到達するまでの時間Ｔ４（図３）では、主軸制御部１８は主軸１２を位置制御することになる（定加速度状の速度指令を破線で例示する）。
【００２４】
ステップＳ３で、現在速度Ｖｃが最高回転速度Ｖ０に到達していると判断した場合、ステップＳ８で、主軸制御部１８は、最高回転速度Ｖ０に到達したときの主軸１２の、加工開始位置からの回転量（つまり回転位置ＦＢＳ）を、加速時回転量Ｓａとして保存する。そしてステップＳ９で、主軸制御部１８は、残回転量Ｓｒが加速時回転量Ｓａ以下になっているか否かを判断する。ＳｒがＳａ以下になっている場合、ステップＳ５に進み、次いでステップＳ６及びステップＳ７を実行して、目標ねじ深さまでの加工を行う。ＳｒがＳａ以下になっていない場合は、ＳｒがＳａ以下になるまで判断を繰り返す。
【００２５】
主軸制御部１８が主軸１２の加工開始位置から目標ねじ深さまでの回転動作を制御する間、送り軸制御部２２は、主軸１２の回転位置ＦＢＳを用いて、送り軸１４を主軸１２の動作に追従するように制御して送り動作を行わせる。数値制御部１６は、主軸制御部１８がステップＳ１〜ステップＳ９の処理を実行する間、主軸制御部１８から通知される残回転量Ｓｒを監視して、残回転量Ｓｒが第１の所定値（零に近い極小値）以下になったときに、タップ加工が目標ねじ深さに達したと判断する。
【００２６】
図４は、残回転量Ｓｒが総回転量Ｓ０の１／２になる前に現在速度Ｖｃが最高回転速度Ｖ０に到達した場合（ステップＳ３の判断がＮＯの場合）の、主軸１２の動作を、速度−時間曲線で示す。図４に示すように、ステップＳ２における主軸１２の最大能力の加速回転が時間Ｔ１及びＴ２で実行されて、主軸１２の現在速度Ｖｃが最高回転速度Ｖ０に到達し、その後、時間Ｔ５に渡り一定速度Ｖ０で主軸１２が回転してタップ加工を継続し、残回転量Ｓｒが加速時回転量Ｓａに等しくなった時点Ａ（ステップＳ９の判断がＹＥＳとなった時点）で、主軸１２の動作が加速回転から減速回転に変わり、時間Ｔ３で、ステップＳ５における主軸１２の最大能力での減速回転が実行され、時間Ｔ４で、ステップＳ７における主軸１２の位置制御が実行される。時間Ｔ１、Ｔ２、Ｔ３及びＴ４では、主軸１２は図３に示す動作と同様に動作する。
【００２７】
図３及び図４に示す構成は、主軸１２の最高回転速度Ｖ０が、予め定めた速度Ｖｂ（例えばサーボモータの基底速度）よりも大きいことを前提としたものである。これに対し、工作機械の構成によっては、主軸１２の最高回転速度Ｖ０が速度Ｖｂよりも小さくなる場合がある。この場合は、図３及び図４における時間Ｔ２及びＴ３が無くなり、主軸１２は、加工開始位置から目標ねじ深さに至るまでの間、一定の加速度及び減速度で動作する。
【００２８】
図５は、現在速度Ｖｃが最高回転速度Ｖ０（＜Ｖｂ）に到達する前に残回転量Ｓｒが総回転量Ｓ０の１／２になった場合（ステップＳ３及びＳ４の判断がいずれもＹＥＳの場合）の、主軸１２の動作を、速度−時間曲線で示す。図示のように、主軸１２は、図３における時間Ｔ１及びＴ４の動作のみを実行する。すなわち主軸１２は、時間Ｔ１において最高回転速度Ｖ０を目標値として最大加速度Ａ０により加速回転し、ＳｒがＳ０の１／２になった時点Ａで加速から減速に転じ、時間Ｔ４において点Ａから残回転量Ｓｒ＝０となる位置まで最大減速度Ａ０により減速回転する。主軸１２が減速回転する間、主軸制御部１８（位置決め動作制御部３８）は主軸１２の位置制御のみを実行する。
【００２９】
図６は、残回転量Ｓｒが総回転量Ｓ０の１／２になる前に現在速度Ｖｃが最高回転速度Ｖ０（＜Ｖｂ）に到達した場合（ステップＳ３の判断がＮＯになった場合）の、主軸１２の動作を、速度−時間曲線で示す。図示のように、主軸１２は、図４における時間Ｔ１及びＴ４の動作と、図４における時間Ｔ５に対応する動作とを実行する。すなわち主軸１２は、時間Ｔ１において最高回転速度Ｖ０を目標値として最大加速度Ａ０により加速回転し、最高回転速度Ｖ０に到達した後に、時間Ｔ６において残回転量Ｓｒが加速時回転量Ｓａに等しくなる点Ａまで一定速度Ｖ０で回転し、時間Ｔ４において点Ａから残回転量Ｓｒ＝０となる位置まで最大減速度Ａ０により減速回転する。主軸１２が定速及び減速回転する間、主軸制御部１８（位置決め動作制御部３８）は主軸１２の位置制御のみを実行する。
【００３０】
工作機械を用いたタップ加工においては、ワークの下穴を目標ねじ深さまで切削加工した後、工具をワークから引き抜くための戻り動作を実行する必要がある。上記実施形態において、位置決め動作制御部３８が主軸１２を最大能力で減速回転させるとともに目標ねじ深さで停止させるように構成される場合、制御装置１０は、この戻り動作に際し、上記した目標ねじ深さまでの切削動作制御と同様の制御を行うことができる。図７は、制御装置１０が実行する工作機械制御方法の一実施形態としての、タップ加工における主軸１２の戻り動作制御方法を示す。以下、図７を参照して、制御装置１０による戻り動作の制御フローの一例を説明する。
【００３１】
数値制御部１６（主軸指令出力部２６）は、図２の処理フローでタップ加工が目標ねじ深さに達したと判断した後に、ステップＳ１０で、プログラム解釈部２４が解釈したタップ加工プログラムＰの指令値から、目標ねじ深さから戻り完了位置に至る間の主軸１２の総戻り回転量Ｓ０′と最高戻り回転速度Ｖ０′とを取得して、これら総戻り回転量Ｓ０′と最高戻り回転速度Ｖ０′とを主軸指令ＣＳとして主軸制御部１８に送る。戻り動作の主軸指令ＣＳも、主軸１２を戻り完了位置まで回転運動させるための位置指令や加減速指令を含まないものとなっている。なお戻り完了位置は、加工開始位置と同一であってもよいし、加工開始位置と異なっていてもよい。戻り完了位置が加工開始位置と同一の場合、総戻り回転量Ｓ０′は切削時の総回転量Ｓ０と等しくなるが、最高戻り回転速度Ｖ０′は切削時の最高回転速度Ｖ０に必ずしも一致しない。
【００３２】
ステップＳ１１で、主軸制御部１８（初期動作制御部３０、最大加速度検出部３２、残回転量検出部３４）は以下の処理を行う。初期動作制御部３０は、最高戻り回転速度Ｖ０′を目標速度として目標ねじ深さから戻り完了位置に向かって主軸１２を、駆動源の許容電流を最大限に利用した最大能力で加速逆回転させて戻り動作を実行する。最大加速度検出部３２は、最大能力での加速逆回転中に回転位置ＦＢＳに基づき逆回転の最大加速度Ａ０′を検出する。残回転量検出部３４は、総戻り回転量Ｓ０′と回転位置ＦＢＳとに基づき、現在位置から戻り完了位置に至るまでの主軸１２の残戻り回転量Ｓｒ′を逐次検出する。検出した残戻り回転量Ｓｒ′は、検出の都度、主軸制御部１８が数値制御部１６に通知する。
【００３３】
次にステップＳ１２で、主軸制御部１８（現在速度検出部３６）は、最大能力での加速逆回転中に回転位置ＦＢＳに基づき逆回転の現在速度Ｖｃ′を逐次検出し、検出の都度、現在速度Ｖｃ′が最高戻り回転速度Ｖ０′に到達していないか否かを判断する。Ｖｃ′がＶ０′に到達していない場合、ステップＳ１３で、主軸制御部１８は、残戻り回転量Ｓｒ′が総戻り回転量Ｓ０′の１／２以下になっているか否かを判断する。Ｓｒ′がＳ０′の１／２以下になっている場合、ステップＳ１４で、主軸制御部１８は、主軸１２を、駆動源の許容電流を最大限に利用した最大能力で減速逆回転させて戻り動作を継続実行する。Ｓｒ′がＳ０′の１／２以下になっていない場合はステップＳ１２に戻る。
【００３４】
次にステップＳ１５で、主軸制御部１８（位置決め動作制御部３８）は、主軸１２の現在位置における残戻り回転量Ｓｒ′の絶対値｜Ｓｒ′｜が、｜Ｓｒ′｜＝Ｖｂ２／｜Ａ０′｜／１２０を満たしているか否かを判断する。｜Ｓｒ′｜＝Ｖｂ２／｜Ａ０′｜／１２０を満たしている場合、ステップＳ１６で、主軸制御部１８（位置決め動作制御部３８）は、主軸１２を最大減速度Ａ０′で減速逆回転してＳｒ′＝０の点（つまり戻り完了位置）で停止させるための指令を作成し、この指令により主軸１２を位置制御する。｜Ｓｒ′｜＝Ｖｂ２／｜Ａ０′｜／１２０を満たしていない場合は、この等式が満たされるまで判断を繰り返す。主軸１２は、主軸制御部１８（位置決め動作制御部３８）からの指令に従い、戻り完了位置に向かって最大減速度Ａ０′で減速逆回転して戻り動作を実行し、Ｓｒ′＝０になった時点で停止する。
【００３５】
ステップＳ１２で、現在速度Ｖｃ′が最高戻り回転速度Ｖ０′に到達していると判断した場合、ステップＳ１７で、主軸制御部１８は、最高戻り回転速度Ｖ０′に到達したときの主軸１２の、目標ねじ深さからの回転量（つまり回転位置ＦＢＳ）を、戻り動作の加速時回転量Ｓａ′として保存する。そしてステップＳ１８で、主軸制御部１８は、残戻り回転量Ｓｒ′が加速時回転量Ｓａ′以下になっているか否かを判断する。Ｓｒ′がＳａ′以下になっている場合、ステップＳ１４に進み、次いでステップＳ１５及びステップＳ１６を実行して、戻り完了位置までの戻り動作を行う。Ｓｒ′がＳａ′以下になっていない場合は、Ｓｒ′がＳａ′以下になるまで判断を繰り返す。
【００３６】
上記した主軸１２の戻り動作は、図３又は図４に示す切削動作と同様の速度−時間曲線で表すことができる。総戻り回転量Ｓ０′及び最高戻り回転速度Ｖ０′が切削時の総回転量Ｓ０及び最高回転速度Ｖ０と同一である場合には、切削動作と戻り動作とは実質的に同じ速度−時間曲線を示す。他方、総戻り回転量Ｓ０′及び最高戻り回転速度Ｖ０′が切削時の総回転量Ｓ０及び最高回転速度Ｖ０と異なる場合、切削動作と戻り動作とは必ずしも同じ速度−時間曲線を示さない。
【００３７】
主軸制御部１８が主軸１２の目標ねじ深さから戻り完了位置までの逆回転動作を制御する間、送り軸制御部２２は、主軸１２の回転位置ＦＢＳを用いて、送り軸１４を主軸１２の動作に追従するように制御して逆送り動作を行わせる。数値制御部１６は、主軸制御部１８がステップＳ１０〜ステップＳ１８の処理を実行する間、主軸制御部１８から通知される残戻り回転量Ｓｒ′を監視して、残戻り回転量Ｓｒ′が第２の所定値（零に近い極小値）以下になったときに、戻り動作が完了して工具がワークから引き抜かれたと判断する。
【００３８】
上記実施形態による制御装置１０は、主軸１２に加工開始位置から目標ねじ深さまでの切削動作を行わせる際に、数値制御部１６が主軸制御部１８に対して、主軸１２の総回転量Ｓ０と最高回転速度Ｖ０のみを主軸指令ＣＳとして通知し、主軸制御部１８がこの主軸指令ＣＳに従い、最高回転速度Ｖ０を目標に許容電流を最大限に使用した最大出力で主軸１２を加速させて切削動作を実行するとともに、その間の最大加速度Ａ０と逐次検出する主軸１２の残回転量Ｓｒ及び現在速度Ｖｃとに基づき、主軸１２を最大減速度Ａ０で減速させながら目標ねじ深さまでの切削動作を最短時間で継続実行して目標ねじ深さに到達させるように構成されている。したがって制御装置１０によれば、数値制御部１６に対し主軸１２の出力特性に対応する加減速指令を作成するためのパラメータの設定や調整等を行う必要がなく、より簡単な構成で、主軸１２の加速能力を最大限に発揮させる加減速制御を行って、タップ加工のサイクルタイムを短縮することが可能になる。
【００３９】
また、上記実施形態による制御装置１０は、主軸１２に目標ねじ深さから戻り完了位置までの戻り動作を行わせる際に、数値制御部１６が主軸制御部１８に対して、主軸１２の総戻り回転量Ｓ０′と最高戻り回転速度Ｖ０′のみを主軸指令ＣＳとして通知し、主軸制御部１８がこの主軸指令ＣＳに従い、最高戻り回転速度Ｖ０′を目標に許容電流を最大限に使用した最大出力で主軸１２を加速させて戻り動作を実行するとともに、その間の最大加速度Ａ０′と逐次検出する主軸１２の残戻り回転量Ｓｒ′及び現在速度Ｖｃ′とに基づき、主軸１２を最大減速度Ａ０′で減速させながら戻り完了位置までの戻り動作を最短時間で継続実行して戻り完了位置で停止させるように構成されている。したがって制御装置１０によれば、数値制御部１６に対し主軸１２の出力特性に対応する加減速指令を作成するためのパラメータの設定や調整等を行う必要がなく、より簡単な構成で、主軸１２の加速能力を最大限に発揮させる加減速制御を行って、タップ加工のサイクルタイムを短縮することが可能になる。
【００４０】
上記実施形態による制御装置１０の構成は、主軸１２と送り軸１４との同期運転を制御する工作機械の制御方法として記述できる。この制御方法は、制御装置１０が、加工開始位置から目標ねじ深さに至る間の主軸１２の総回転量Ｓ０と最高回転速度Ｖ０とをタップ加工プログラムＰから取得し、最高回転速度Ｖ０を目標値として加工開始位置から目標ねじ深さに向かって主軸１２を最大能力で加速回転させ、最大能力での加速回転中に主軸１２の回転位置フィードバック値ＦＢＳに基づき最大加速度Ａ０を検出し、総回転量Ｓ０と回転位置フィードバック値ＦＢＳとに基づき、現在位置から目標ねじ深さに至るまでの主軸１２の残回転量Ｓｒを検出し、回転位置フィードバック値ＦＢＳに基づき主軸１２の現在速度Ｖｃを検出し、最大能力での加速回転の後に、最大加速度Ａ０と残回転量Ｓｒと現在速度Ｖｃとに基づき、主軸１２を最大能力で減速回転させて目標ねじ深さに到達させるものである。このとき、主軸１２を最大能力で減速回転させるとともに目標ねじ深さで停止させるように構成できる。
【００４１】
また上記制御方法は、制御装置１０が、目標ねじ深さから戻り完了位置に至る間の主軸１２の総戻り回転量Ｓ０′と最高戻り回転速度Ｖ０′とをタップ加工プログラムＰから取得し、最高戻り回転速度Ｖ０′を目標値として目標ねじ深さから戻り完了位置に向かって主軸１２を最大能力で加速逆回転させ、最大能力での加速逆回転中に主軸１２の回転位置フィードバック値ＦＢＳに基づき逆回転の最大加速度Ａ０′を検出し、総戻り回転量Ｓ０′と回転位置フィードバック値ＦＢＳとに基づき、現在位置から戻り完了位置に至るまでの主軸１２の残戻り回転量Ｓｒ′を検出し、回転位置フィードバック値ＦＢＳに基づき主軸１２の逆回転の現在速度Ｖｃ′を検出し、最大能力での加速逆回転の後に、逆回転の最大加速度Ａ０′と残戻り回転量Ｓｒ′と逆回転の現在速度Ｖｃ′とに基づき、主軸１２を最大能力で減速逆回転させるとともに戻り完了位置で停止させるものである。
【００４２】
工作機械を用いたタップ加工においては、制御装置がタップ加工の間に主軸の回転位置や送り軸の送り位置を継続して認識することが望ましい。図８は、主軸及び送り軸の位置認識機能を付加した変形例による制御装置４０の構成を機能ブロックで示す。制御装置４０は、位置認識機能を付加した点以外は、図１の制御装置１０と同様の構成を有する。対応する構成要素には共通する参照符号を付して、その詳細な説明を省略する。
【００４３】
制御装置４０は、タップ加工プログラムＰに基づき主軸指令ＣＳ及び送り軸指令ＣＦを作成する数値制御部１６と、主軸指令ＣＳに従って主軸１２の回転動作を制御する主軸制御部１８と、主軸１２の回転位置を検出する回転検出部２０と、送り軸指令ＣＦに従って、回転検出部２０が検出した回転位置に基づき送り軸１４の送り動作を制御する送り軸制御部２２と、送り軸１４の送り位置を検出する送り検出部４２とを備える。数値制御部１６の送り軸指令出力部２８は、タップ加工の開始に先立ち、プログラム解釈部２４が解釈したタップ加工プログラムＰの指令値から、目標ねじ深さに相当する送り軸１４の総送り量Ｄ０（ｍｍ）とねじピッチＰ（ｍｍ／ｒｅｖ）とを取得して、これら総送り量Ｄ０とねじピッチＰとを送り軸指令ＣＦとして送り軸制御部２２に送る。このように送り軸指令ＣＦは、送り軸１４を目標ねじ深さまで送り運動させるための位置指令や加減速指令を含まないものとなっている。
【００４４】
送り軸制御部２２は、回転検出部２０が検出した主軸１２の回転位置ＦＢＳと、ねじピッチＰと、送り検出部４２が検出した送り軸１４の送り位置（フィードバック値。以下、送り位置ＦＢＦ。）とに基づき、送り軸１４の送り動作を制御する送り動作制御部４４と、総送り量Ｄ０と送り位置ＦＢＦとに基づき、現在位置から目標ねじ深さに至るまでの送り軸１４の残送り量Ｄｒを検出する残送り量検出部４６とを備える。なお送り検出部４２は、送り軸１４の駆動装置の動作位置を検出するエンコーダ等の位置検出器（図示せず）の出力から、送り位置ＦＢＦを取得することができる。
【００４５】
主軸制御部１８の残回転量検出部３４は、主軸１２を加工開始位置から目標ねじ深さまで切削動作させる間、主軸１２の現在位置からの残回転量Ｓｒを逐次検出し、検出の都度、残回転量Ｓｒを数値制御部１６に通知する。送り軸制御部２２の残送り量検出部４６は、送り軸１４を加工開始位置から目標ねじ深さまで送り動作させる間、送り軸１４の現在位置からの残送り量Ｄｒを逐次検出し、検出の都度、残送り量Ｄｒを数値制御部１６に通知する。さらに送り軸制御部２２は、加工開始時の送り軸１４の初期位置Ｄｉ（送り位置ＦＢＦ）を数値制御部１６に通知する。
【００４６】
数値制御部１６は、残回転量Ｓｒに基づき主軸１２の現在位置を認識するとともに残送り量Ｄｒに基づき送り軸１４の現在位置を認識する位置認識部４８を備える。位置認識部４８は、タップ加工プログラムＰから取得した主軸１２の総回転量Ｓ０と、主軸制御部１８から通知された主軸１２の残回転量Ｓｒとを用いて、主軸１２の現在位置を（Ｓ０−Ｓｒ）として認識する。また位置認識部４８は、タップ加工プログラムＰから取得した送り軸１４の総送り量Ｄ０と、送り軸制御部２２から通知された送り軸１４の残送り量Ｄｒ及び初期位置Ｄｉとを用いて、送り軸１４の現在位置を（Ｄ０−Ｄｒ＋Ｄｉ）として認識する。
【００４７】
上記構成を有する制御装置４０では、数値制御部１６が生成する主軸指令ＣＳに主軸１２の位置指令や加減速指令が含まれず、また数値制御部１６が生成する送り軸指令ＣＦに送り軸１４の位置指令や加減速指令が含まれない構成であっても、数値制御部１６の位置認識部４８は、主軸１２及び送り軸１４の現在位置を認識することができる。したがって制御装置４０によれば、フィードバック制御を実行する主軸制御部１８及び送り軸制御部２２の上位コントローラである数値制御部１６が、主軸１２及び送り軸１４の動作状態を、タップ加工の実行中に常に把握ないし管理でき、以て、タップ加工制御の信頼性を向上させることができる。
【００４８】
制御装置４０においては、タップ加工の戻り動作を制御する間も同様に、数値制御部１６の位置認識部４８が、主軸１２及び送り軸１４の現在位置を認識することができる。この場合、前述したように数値制御部１６が、タップ加工が目標ねじ深さに達したと判断したときに、送り軸指令出力部２８は、プログラム解釈部２４が解釈したタップ加工プログラムＰの指令値から、目標ねじ深さに相当する送り軸１４の総戻り送り量Ｄ０′（ｍｍ）とねじピッチＰ（ｍｍ／ｒｅｖ）とを取得して、これら総戻り送り量Ｄ０′とねじピッチＰとを送り軸指令ＣＦとして送り軸制御部２２に送る。通常、総戻り送り量Ｄ０′は総送り量Ｄ０に一致する。
【００４９】
送り軸制御部２２の送り動作制御部４４は、主軸１２の戻り動作の回転位置ＦＢＳと、ねじピッチＰと、送り軸１４の戻り動作の送り位置ＦＢＦとに基づき、送り軸１４の戻り送り動作を制御する。送り軸制御部２２の残送り量検出部４６は、総戻り送り量Ｄ０′と送り位置ＦＢＦとに基づき、現在位置から戻り完了位置に至るまでの送り軸１４の残戻り送り量Ｄｒ′を検出する。主軸制御部１８の残回転量検出部３４は、主軸１２を目標ねじ深さから戻り完了位置まで戻り動作させる間、主軸１２の現在位置からの残戻り回転量Ｓｒ′を逐次検出し、検出の都度、残戻り回転量Ｓｒ′を数値制御部１６に通知する。送り軸制御部２２の残送り量検出部４６は、送り軸１４を目標ねじ深さから戻り完了位置まで戻り送り動作させる間、送り軸１４の現在位置からの残戻り送り量Ｄｒ′を逐次検出し、検出の都度、残戻り送り量Ｄｒ′を数値制御部１６に通知する。さらに送り軸制御部２２は、戻り動作開始時の送り軸１４の初期位置Ｄｉ′（送り位置ＦＢＦ）を数値制御部１６に通知する。数値制御部１６の位置認識部４８は、主軸１２の総戻り回転量Ｓ０′と残戻り回転量Ｓｒ′とを用いて主軸１２の現在位置（Ｓ０′−Ｓｒ′）を認識するとともに、送り軸１４の総戻り送り量Ｄ０′と残戻り送り量Ｄｒ′と初期位置Ｄｉ′とを用いて送り軸１４の現在位置（Ｄ０′−Ｄｒ′＋Ｄｉ′）を認識する。
【００５０】
工作機械を用いたタップ加工においては、制御装置がタップ加工の間に主軸と送り軸との同期誤差を継続して認識することが望ましい。図９は、主軸と送り軸との同期誤差認識機能を付加した変形例による制御装置５０の構成を機能ブロックで示す。制御装置５０は、同期誤差認識機能を付加した点以外は、図１の制御装置１０と同様の構成を有する。対応する構成要素には共通する参照符号を付して、その詳細な説明を省略する。
【００５１】
制御装置５０は、タップ加工プログラムＰに基づき主軸指令ＣＳ及び送り軸指令ＣＦを作成する数値制御部１６と、主軸指令ＣＳに従って主軸１２の回転動作を制御する主軸制御部１８と、主軸１２の回転位置を検出する回転検出部２０と、送り軸指令ＣＦに従って、回転検出部２０が検出した回転位置に基づき送り軸１４の送り動作を制御する送り軸制御部２２と、送り軸１４の送り位置を検出する送り検出部４２とを備える。数値制御部１６の送り軸指令出力部２８は、タップ加工の開始に先立ち、プログラム解釈部２４が解釈したタップ加工プログラムＰの指令値から、目標ねじ深さに相当する送り軸１４の総送り量Ｄ０（ｍｍ）とねじピッチＰ（ｍｍ／ｒｅｖ）とを取得して、これら総送り量Ｄ０とねじピッチＰとを送り軸指令ＣＦとして送り軸制御部２２に送る。このように送り軸指令ＣＦは、送り軸１４を目標ねじ深さまで送り運動させるための位置指令や加減速指令を含まないものとなっている。
【００５２】
送り軸制御部２２は、回転検出部２０が検出した主軸１２の回転位置ＦＢＳと、ねじピッチＰと、送り検出部４２が検出した送り軸１４の送り位置（フィードバック値。以下、送り位置ＦＢＦ。）とに基づき、送り軸１４の送り動作を制御する送り動作制御部４４と、総送り量Ｄ０と送り位置ＦＢＦとに基づき、現在位置から目標ねじ深さに至るまでの送り軸１４の残送り量Ｄｒを検出する残送り量検出部４６とを備える。主軸制御部１８の残回転量検出部３４は、主軸１２を加工開始位置から目標ねじ深さまで切削動作させる間、主軸１２の現在位置からの残回転量Ｓｒを逐次検出し、検出の都度、残回転量Ｓｒを数値制御部１６に通知する。送り軸制御部２２の残送り量検出部４６は、送り軸１４を加工開始位置から目標ねじ深さまで送り動作させる間、送り軸１４の現在位置からの残送り量Ｄｒを逐次検出し、検出の都度、残送り量Ｄｒを数値制御部１６に通知する。
【００５３】
数値制御部１６は、残回転量Ｓｒと残送り量ＤｒとねじピッチＰとに基づき、主軸１２と送り軸１４との同期運転の同期誤差を計算する同期誤差計算部５２を備える。同期誤差計算部５２は、主軸制御部１８から通知された主軸１２の残回転量Ｓｒ（ｒｅｖ）と、送り軸制御部２２から通知された送り軸１４の残送り量Ｄｒ（ｍｍ）と、ねじピッチＰ（ｍｍ／ｒｅｖ）とを用いて、主軸１２と送り軸１４との同期誤差Ｅを下記の式により計算する。
同期誤差Ｅを主軸１２の回転量に換算して計算する場合：
Ｅ（ｒｅｖ）＝Ｓｒ−Ｄｒ／Ｐ
同期誤差Ｅを送り軸１４の送り量に換算して計算する場合：
Ｅ（ｍｍ）＝Ｓｒ×Ｐ−Ｄｒ
【００５４】
上記構成を有する制御装置５０では、数値制御部１６が主軸１２及び送り軸１４のフィードバック制御を行わない構成であっても、数値制御部１６の同期誤差計算部５２は、主軸１２と送り軸１４との同期誤差Ｅを求めることができる。したがって制御装置５０によれば、フィードバック制御を実行する主軸制御部１８及び送り軸制御部２２の上位コントローラである数値制御部１６が、主軸１２と送り軸１４との同期誤差Ｅを、タップ加工の実行中に常に把握ないし管理でき、以て、タップ加工制御の信頼性を向上させることができる。
【００５５】
制御装置５０の数値制御部１６は、同期誤差計算部５２が求めた同期誤差Ｅを表示装置５４に表示させる表示制御部５６を備えることができる。この構成によれば、工作機械がタップ加工を実行している最中に、オペレータが同期誤差Ｅを逐次確認でき、以て、同期誤差Ｅに応じた対策を迅速に遂行することが可能になる。
【００５６】
制御装置５０においては、タップ加工の戻り動作を制御する間も同様に、数値制御部１６の同期誤差計算部５２が、主軸１２と送り軸１４との同期誤差Ｅを計算することができる。この場合、前述したように数値制御部１６が、タップ加工が目標ねじ深さに達したと判断したときに、送り軸指令出力部２８は、プログラム解釈部２４が解釈したタップ加工プログラムＰの指令値から、目標ねじ深さに相当する送り軸１４の総戻り送り量Ｄ０′（ｍｍ）とねじピッチＰ（ｍｍ／ｒｅｖ）とを取得して、これら総戻り送り量Ｄ０′とねじピッチＰとを送り軸指令ＣＦとして送り軸制御部２２に送る。通常、総戻り送り量Ｄ０′は総送り量Ｄ０に一致する。
【００５７】
送り軸制御部２２の送り動作制御部４４は、主軸１２の戻り動作の回転位置ＦＢＳと、ねじピッチＰと、送り軸１４の戻り動作の送り位置ＦＢＦとに基づき、送り軸１４の戻り送り動作を制御する。送り軸制御部２２の残送り量検出部４６は、総戻り送り量Ｄ０′と送り位置ＦＢＦとに基づき、現在位置から戻り完了位置に至るまでの送り軸１４の残戻り送り量Ｄｒ′を検出する。主軸制御部１８の残回転量検出部３４は、主軸１２を目標ねじ深さから戻り完了位置まで戻り動作させる間、主軸１２の現在位置からの残戻り回転量Ｓｒ′を逐次検出し、検出の都度、残戻り回転量Ｓｒ′を数値制御部１６に通知する。送り軸制御部２２の残送り量検出部４６は、送り軸１４を目標ねじ深さから戻り完了位置まで戻り送り動作させる間、送り軸１４の現在位置からの残戻り送り量Ｄｒ′を逐次検出し、検出の都度、残戻り送り量Ｄｒ′を数値制御部１６に通知する。数値制御部１６の同期誤差計算部５２は、主軸１２の残戻り回転量Ｓｒ′と送り軸１４の残戻り送り量Ｄｒ′とねじピッチＰとを用いて、主軸１２と送り軸１４との同期誤差Ｅ（Ｅ＝Ｓｒ′−Ｄｒ′／Ｐ又はＥ＝Ｓｒ′×Ｐ−Ｄｒ′）を計算する。
【００５８】
図１０は、図１の制御装置１０が実行できる工作機械制御方法の他の実施形態としての、タップ加工における主軸１２の切削及び戻り動作制御方法を示す。図１１及び図１２は、図１０の実施形態における主軸１２の動作の２つの例を示す。以下、図１、図２、図７及び図１０〜図１２を参照して、他の実施形態による工作機械制御方法（タップ加工の切削及び戻り動作制御方法）、並びに当該方法を実行する他の実施形態による制御装置１０の構成を説明する。なお、前述した変形例による制御装置４０（図８）及び制御装置５０（図９）も、以下に説明するタップ加工の切削及び戻り動作制御方法を実行できる。
【００５９】
概説すると、図１０〜図１２の実施形態において、制御装置１０は、主軸１２を加工開始位置（回転位置）から目標ねじ深さ（回転位置）に到達させるまでの間は、図２に示すタップ加工の切削動作制御方法と同様のステップを実行して、主軸１２の切削動作を制御する。そして制御装置１０の主軸制御部１８（位置決め動作制御部３８）は、主軸１２を目標ねじ深さに到達させたときに、主軸１２を目標ねじ深さで停止させることなく（つまり加速度を零にすることなく）、最大能力での減速回転における最大減速度Ａ０（負の値）と同じ逆回転の加速度Ａ０（負の値）で、主軸１２を予め定めた回転位置まで加速逆回転させるように構成される。主軸１２を予め定めた回転位置まで加速逆回転させた後は、制御装置１０は、図７に示すタップ加工の戻り動作制御方法と同様のステップを実行して、主軸１２の戻り動作を制御する。この実施形態の構成を以下に詳述するが、図２及び図７の構成要素に対応する構成要素の説明は適宜省略する。
【００６０】
図１０に示すように、制御装置１０はまず、図２に示すステップＳ１〜Ｓ６、Ｓ８、Ｓ９を実行する（ステップＵ１）。ここで図１１を参照すると、切削動作中に現在速度Ｖｃが最高回転速度Ｖ０に到達する前に残回転量Ｓｒが総回転量Ｓ０の１／２になった場合（図２のステップＳ３及びＳ４の判断がいずれもＹＥＳの場合）の、主軸１２の動作が、速度−時間曲線で示されている。図１１の速度−時間曲線における時間Ｔ１、Ｔ２、Ｔ３及びＴ４の主軸１２の動作は、前述した図３の速度−時間曲線における時間Ｔ１、Ｔ２、Ｔ３及びＴ４の主軸１２の動作に対応する。すなわち図１１に示すように、時間Ｔ１及びＴ２で、主軸１２の最大能力の加速回転が実行され、残回転量Ｓｒが総回転量Ｓ０の１／２になった時点Ａで、主軸１２の動作が加速回転から減速回転に変わり、時間Ｔ３で、主軸１２の最大能力の減速回転が実行され、時間Ｔ４で、主軸１２の位置制御が実行される。
【００６１】
制御装置１０がステップＵ１（図２のステップＳ１→Ｓ２→Ｓ３→Ｓ４→Ｓ５→Ｓ６）を実行することにより、主軸１２は、図１１に示す時間Ｔ１、Ｔ２、Ｔ３及びＴ４において、図３に示す時間Ｔ１、Ｔ２、Ｔ３及びＴ４の動作と同様に動作する。但し主軸制御部１８（位置決め動作制御部３８）は、図２のステップＳ６で、主軸１２の現在位置における残回転量の絶対値｜Ｓｒ｜が、｜Ｓｒ｜＝Ｖｂ２／｜Ａ０｜／１２０を満たしている（つまり主軸１２の回転位置が点Ｂに到達した）と判断したときに、ステップＵ２（図１０）で、主軸１２を最大減速度Ａ０で減速回転してＳｒ＝０の点（つまり目標ねじ深さ）に到達させた後も引き続き最大減速度Ａ０と同じ逆回転の加速度Ａ０で主軸１２を予め定めた回転位置（図１１の点Ｃに相当）まで加速逆回転させるための指令を作成し、この指令により主軸１２を位置制御する。
【００６２】
図１１に示すように、主軸１２は、主軸制御部１８（位置決め動作制御部３８）からの指令に従い、点Ｂから目標ねじ深さに向かって最大減速度Ａ０で減速回転しながら切削動作を遂行し、Ｓｒ＝０になった時点で目標ねじ深さに到達する（時間Ｔ４）。目標ねじ深さに到達した瞬間、主軸１２の現在速度Ｖｃは零になるが、さらに主軸１２は、主軸制御部１８（位置決め動作制御部３８）からの指令に従い、最大減速度Ａ０を維持して逆回転の加速度Ａ０を生じ、現在速度Ｖｃ（負の値）を徐々に増加させる加速逆回転により、時間Ｔ７に渡って、目標ねじ深さから点Ｃに向かう戻り動作を遂行する。このように、点Ｂから目標ねじ深さに到達するまでの時間Ｔ４及び目標ねじ深さから点Ｃに到達するまでの時間Ｔ７において、主軸制御部１８は主軸１２を位置制御し（ステップＵ２）、一定の加速度Ａ０で連続的に動作させる（定加速度状の速度指令を破線で例示する）。なお主軸１２は、目標ねじ深さで現在速度Ｖｃが零になるが、これは瞬時的なものであって、目標ねじ深さで停止するものではない。
【００６３】
主軸１２の点Ｃの位置は任意に設定できる。例えば図１１に示すように、切削動作中に最大減速度Ａ０での減速回転を開始した点Ｂと同じ位置を、点Ｃとすることができる。この場合の点Ｃは、目標ねじ深さから｜Ｓｒ｜＝Ｖｂ２／｜Ａ０｜／１２０に相当する回転量だけ逆回転した位置となる。この構成によれば、図１１に示すように、加工開始から点Ｂを経て目標ねじ深さに到達するまでの主軸１２の切削動作（時間Ｔ１〜Ｔ４）と、目標ねじ深さから点Ｃを経て戻り完了位置に到達するまでの主軸１２の戻り動作（時間Ｔ７〜Ｔ１０）とを、速度の符号が逆になる以外は実質的に同じ速度−時間曲線で表すことができる。つまり、主軸１２は、時間Ｔ７において、時間Ｔ１の一定の最大加速度Ａ０での加速回転と同様に、一定の加速度Ａ０で加速逆回転する。但し厳密に言えば、制御の特性として、速度制御による最大能力の加速回転時の最大加速度Ａ０（時間Ｔ１）に比べて、位置制御による最大能力の減速回転時の最大減速度Ａ０（時間Ｔ４）は若干低く抑えられ、その結果、時間Ｔ７における逆回転の加速度Ａ０も、時間Ｔ１の最大加速度Ａ０より若干低くなる傾向がある。
【００６４】
主軸制御部１８が主軸１２の加工開始位置から目標ねじ深さまでの回転動作を制御する間、送り軸制御部２２は、主軸１２の回転位置ＦＢＳを用いて、送り軸１４を主軸１２の動作に追従するように制御して送り動作を行わせる。数値制御部１６は、主軸制御部１８がステップＵ１及びステップＵ２の処理を実行する間、主軸制御部１８から通知される残回転量Ｓｒを監視して、残回転量Ｓｒが第１の所定値（零に近い極小値）以下になったときに、タップ加工が目標ねじ深さに達したと判断する。そして数値制御部１６（主軸指令出力部２６）は、タップ加工が目標ねじ深さに達したと判断した後に、ステップＵ２と並行して、ステップＵ３で、プログラム解釈部２４が解釈したタップ加工プログラムＰの指令値から、目標ねじ深さから戻り完了位置に至る間の主軸１２の総戻り回転量Ｓ０′と最高戻り回転速度Ｖ０′とを取得して、これら総戻り回転量Ｓ０′と最高戻り回転速度Ｖ０′とを主軸指令ＣＳとして主軸制御部１８に送る。
【００６５】
主軸１２が所定の回転位置（点Ｃ）に到達した後、ステップＵ４で、主軸制御部１８（初期動作制御部３０）は、最高戻り回転速度Ｖ０′を目標速度として所定の回転位置（点Ｃ）から戻り完了位置に向かって主軸１２を、駆動源の許容電流を最大限に利用した最大能力で加速逆回転させて戻り動作を実行する。また主軸制御部１８（残回転量検出部３４）は、総戻り回転量Ｓ０′と回転位置ＦＢＳとに基づき、現在位置から戻り完了位置に至るまでの主軸１２の残戻り回転量Ｓｒ′を逐次検出する。検出した残戻り回転量Ｓｒ′は、検出の都度、主軸制御部１８が数値制御部１６に通知する。
【００６６】
次に制御装置１０は、図７に示すステップＳ１２〜Ｓ１８を実行する（ステップＵ５）。図１１の動作例では、主軸制御部１８（現在速度検出部３６）は、最大能力での加速逆回転（時間Ｔ８）中に回転位置ＦＢＳに基づき逆回転の現在速度Ｖｃ′を逐次検出し、検出の都度、現在速度Ｖｃ′が最高戻り回転速度Ｖ０′に到達していないか否かを判断する（ステップＳ１２）。Ｖｃ′がＶ０′に到達していない場合、主軸制御部１８は、残戻り回転量Ｓｒ′が総戻り回転量Ｓ０′の１／２以下になっているか否かを判断する（ステップＳ１３）。Ｓｒ′がＳ０′の１／２以下になっている場合、主軸制御部１８は、主軸１２を、駆動源の許容電流を最大限に利用した最大能力で減速逆回転させて戻り動作を継続実行する（ステップＳ１４）。
【００６７】
図１１に示す例では、主軸１２は、所定の回転位置（点Ｃ）に到達した後に逆回転の現在速度がＶｂ（負の値）を超えるので、最大能力での加速逆回転において、例えばサーボモータの特性により、主軸１２の逆回転の加速度はＡ０から漸減する（時間Ｔ８）。残戻り回転量Ｓｒ′が総戻り回転量Ｓ０′の１／２になった（つまり目標ねじ深さからの回転量が総戻り回転量Ｓ０′の１／２になった）時点Ｄで、主軸１２の動作は加速逆回転から減速逆回転に変わり、時間Ｔ９で、主軸１２の最大能力での減速逆回転が実行される。このように、時間Ｔ８〜Ｔ９では、主軸制御部１８は主軸１２を速度制御する（ステップ状の速度指令を破線で例示する）。
【００６８】
次に主軸制御部１８（位置決め動作制御部３８）は、主軸１２の現在位置における残戻り回転量Ｓｒ′の絶対値｜Ｓｒ′｜が、｜Ｓｒ′｜＝Ｖｂ２／｜Ａ０′｜／１２０を満たしているか否か（つまり主軸１２の回転位置が点Ｅ（図１１）に到達したか否か）を判断する（ステップＳ１５）。｜Ｓｒ′｜＝Ｖｂ２／｜Ａ０′｜／１２０を満たしている場合、主軸制御部１８（位置決め動作制御部３８）は、主軸１２を最大減速度Ａ０′（時間Ｔ７における逆回転の加速度Ａ０に対応する値）で減速逆回転してＳｒ′＝０の点（つまり戻り完了位置）で停止させるための指令を作成し、この指令により主軸１２を位置制御する（ステップＳ１６）。主軸１２は、主軸制御部１８（位置決め動作制御部３８）からの指令に従い、戻り完了位置に向かって最大減速度Ａ０′で減速逆回転して戻り動作を実行し、Ｓｒ′＝０になった時点で停止する。このように、点Ｅから戻り完了位置に到達するまでの時間Ｔ１０（図１１）では、主軸制御部１８は主軸１２を位置制御する（定加速度状の速度指令を破線で例示する）。
【００６９】
主軸制御部１８が主軸１２の目標ねじ深さから戻り完了位置までの逆回転動作を制御する間、送り軸制御部２２は、主軸１２の回転位置ＦＢＳを用いて、送り軸１４を主軸１２の動作に追従するように制御して逆送り動作を行わせる。数値制御部１６は、主軸制御部１８がステップＵ３〜ステップＵ５の処理を実行する間、主軸制御部１８から通知される残戻り回転量Ｓｒ′を監視して、残戻り回転量Ｓｒ′が第２の所定値（零に近い極小値）以下になったときに、戻り動作が完了して工具がワークから引き抜かれたと判断する。
【００７０】
図１２は、図１０のステップＵ１において、切削動作中に残回転量Ｓｒが総回転量Ｓ０の１／２になる前に現在速度Ｖｃが最高回転速度Ｖ０に到達した場合（図２のステップＳ３の判断がＮＯの場合）の、主軸１２の動作を、速度−時間曲線で示す。図１２の速度−時間曲線における時間Ｔ１、Ｔ２、Ｔ３、Ｔ４及びＴ５の主軸１２の動作は、前述した図４の速度−時間曲線における時間Ｔ１、Ｔ２、Ｔ３、Ｔ４及びＴ５の主軸１２の動作に対応する。すなわち図１２に示すように、時間Ｔ１及びＴ２で、主軸１２の最大能力の加速回転が実行されて、主軸１２の現在速度Ｖｃが最高回転速度Ｖ０に到達し、その後、時間Ｔ５に渡り一定速度Ｖ０で主軸１２が回転してタップ加工を継続し、残回転量Ｓｒが加速時回転量Ｓａに等しくなった時点Ａで、主軸１２の動作が加速回転から減速回転に変わり、時間Ｔ３で、主軸１２の最大能力の減速回転が実行され、時間Ｔ４で、主軸１２の位置制御が実行される。
【００７１】
制御装置１０がステップＵ１（図２のステップＳ１→Ｓ２→Ｓ３→Ｓ８→Ｓ９→Ｓ５→Ｓ６）を実行することにより、主軸１２は、図１２に示す時間Ｔ１、Ｔ２、Ｔ３、Ｔ４及びＴ５において、図４に示す時間Ｔ１、Ｔ２、Ｔ３、Ｔ４及びＴ５の動作と同様に動作する。但し主軸制御部１８（位置決め動作制御部３８）は、図２のステップＳ６で、主軸１２の現在位置における残回転量の絶対値｜Ｓｒ｜が、｜Ｓｒ｜＝Ｖｂ２／｜Ａ０｜／１２０を満たしている（つまり主軸１２の回転位置が点Ｂに到達した）と判断したときに、ステップＵ２（図１０）で、主軸１２を最大減速度Ａ０で減速回転してＳｒ＝０の点（つまり目標ねじ深さ）に到達させた後も引き続き最大減速度Ａ０と同じ逆回転の加速度Ａ０で主軸１２を予め定めた回転位置（図１２の点Ｃに相当）まで加速逆回転させるための指令を作成し、この指令により主軸１２を位置制御する。
【００７２】
図１２に示すように、主軸１２は、主軸制御部１８（位置決め動作制御部３８）からの指令に従い、点Ｂから目標ねじ深さに向かって最大減速度Ａ０で減速回転しながら切削動作を遂行し、Ｓｒ＝０になった時点で目標ねじ深さに到達する（時間Ｔ４）。目標ねじ深さに到達した瞬間、主軸１２の現在速度Ｖｃは零になるが、さらに主軸１２は、主軸制御部１８（位置決め動作制御部３８）からの指令に従い、最大減速度Ａ０を維持して逆回転の加速度Ａ０を生じ、現在速度Ｖｃ（負の値）を徐々に増加させる加速逆回転により、時間Ｔ７に渡って、目標ねじ深さから点Ｃに向かう戻り動作を遂行する。このように、点Ｂから目標ねじ深さに到達するまでの時間Ｔ４及び目標ねじ深さから点Ｃに到達するまでの時間Ｔ７において、主軸制御部１８は主軸１２を位置制御し（ステップＵ２）、一定の加速度Ａ０で連続的に動作させる（定加速度状の速度指令を破線で例示する）。時間Ｔ４及びＴ７における主軸１２の動作は、図１１に示す時間Ｔ４及びＴ７における主軸１２の動作と同様である。
【００７３】
次いで制御装置１０は、図１０のステップＵ３及びＵ４を実行する。ステップＵ５では、図１２に示すように、時間Ｔ８で、主軸１２の最大能力の加速逆回転が実行されて、主軸１２の現在速度Ｖｃ′（負の値）が最高戻り回転速度Ｖ０′（負の値）に到達し、その後、時間Ｔ１１に渡り一定速度Ｖ０′で主軸１２が逆回転して戻り動作を継続し、残戻り回転量Ｓｒ′が加速時回転量Ｓａ′に等しくなった時点Ｄで、主軸１２の動作が加速回転から減速回転に変わり、時間Ｔ９で、主軸１２の最大能力の減速逆回転が実行され、時間Ｔ１０で、主軸１２の戻り完了位置までの位置制御が実行される。時間Ｔ８、Ｔ９及びＴ１０における主軸１２の動作は、図１１に示す時間Ｔ８、Ｔ９及びＴ１０における主軸１２の動作と同様である。
【００７４】
主軸制御部１８が主軸１２の目標ねじ深さから戻り完了位置までの逆回転動作を制御する間、送り軸制御部２２は、主軸１２の回転位置ＦＢＳを用いて、送り軸１４を主軸１２の動作に追従するように制御して逆送り動作を行わせる。数値制御部１６は、主軸制御部１８がステップＵ３〜ステップＵ５の処理を実行する間、主軸制御部１８から通知される残戻り回転量Ｓｒ′を監視して、残戻り回転量Ｓｒ′が第２の所定値（零に近い極小値）以下になったときに、戻り動作が完了して工具がワークから引き抜かれたと判断する。
【００７５】
図１０〜図１２に示す実施形態による制御装置１０は、図１〜図９の実施形態による制御装置１０、４０、５０と同様に、主軸１２に加工開始位置から目標ねじ深さまでの切削動作を行わせる際に、数値制御部１６が主軸制御部１８に対して、主軸１２の総回転量Ｓ０と最高回転速度Ｖ０のみを主軸指令ＣＳとして通知し、主軸制御部１８がこの主軸指令ＣＳに従い、最高回転速度Ｖ０を目標に許容電流を最大限に使用した最大出力で主軸１２を加速させて切削動作を実行するとともに、その間の最大加速度Ａ０と逐次検出する主軸１２の残回転量Ｓｒ及び現在速度Ｖｃとに基づき、主軸１２を最大減速度Ａ０で減速させながら目標ねじ深さまでの切削動作を最短時間で継続実行して目標ねじ深さに到達させるように構成されている。したがって制御装置１０によれば、数値制御部１６に対し主軸１２の出力特性に対応する加減速指令を作成するためのパラメータの設定や調整等を行う必要がなく、より簡単な構成で、主軸１２の加速能力を最大限に発揮させる加減速制御を行って、タップ加工のサイクルタイムを短縮することが可能になる。
【００７６】
また、図１０〜図１２に示す実施形態による制御装置１０は、主軸１２に目標ねじ深さから戻り完了位置までの戻り動作を行わせる際に、まず、切削動作の終了時に主軸１２を目標ねじ深さで停止させることなく（つまり加速度を零にすることなく）、最大減速度Ａ０（負の値）と同じ逆回転の加速度Ａ０（負の値）で、主軸１２を所定の回転位置まで位置制御で加速逆回転させるように構成されている。この構成により、主軸１２の動作を切削動作から戻り動作に切り替えるときの加速度の変化が無くなるので、加速度の変化に起因して主軸１２に生じ得る機械構造上の衝撃や、加速度の変化に起因して主軸１２と送り軸１４との間に生じ得る同期誤差の増加を、未然に回避することができる。図７に示す主軸１２の戻り動作では、切削動作の終了時に主軸１２を目標ねじ深さで一旦停止させた（つまり加速度を零にした）後に、主軸１２を目標ねじ深さから最大出力で加速逆回転させる速度制御を行うため、主軸１２の動作反転時に、定加速度状の速度指令（位置制御）がステップ状の速度指令（速度制御）に切り替わることや機械の構成要素間で静摩擦が動摩擦に切り替わること等に起因して、機械構造上の衝撃や同期誤差の増加等を生じる場合がある。
【００７７】
図１０〜図１２に示す実施形態による制御装置１０では、主軸１２を所定の回転位置まで位置制御で加速逆回転させた後は、数値制御部１６が主軸制御部１８に対して通知した主軸１２の総戻り回転量Ｓ０′と最高戻り回転速度Ｖ０′のみの主軸指令ＣＳに従い、主軸１２を最大出力で加速させて戻り動作を実行するとともに、動作反転時の逆回転の加速度Ａ０に対応する最大減速度Ａ０′で主軸１２を減速させながら戻り完了位置までの戻り動作を最短時間で継続実行して戻り完了位置で停止させるように構成されている。したがって制御装置１０によれば、数値制御部１６に対し主軸１２の出力特性に対応する加減速指令を作成するためのパラメータの設定や調整等を行う必要がなく、より簡単な構成で、主軸１２の加速能力を最大限に発揮させる加減速制御を行って、タップ加工のサイクルタイムを短縮することが可能になる。
【００７８】
図１０〜図１２に示す実施形態による制御装置１０の構成は、主軸１２と送り軸１４との同期運転を制御する工作機械の制御方法として記述できる。この制御方法は、制御装置１０が、加工開始位置から目標ねじ深さに至る間の主軸１２の総回転量Ｓ０と最高回転速度Ｖ０とをタップ加工プログラムＰから取得し、最高回転速度Ｖ０を目標値として加工開始位置から目標ねじ深さに向かって主軸１２を最大能力で加速回転させ、最大能力での加速回転中に主軸１２の回転位置フィードバック値ＦＢＳに基づき最大加速度Ａ０を検出し、総回転量Ｓ０と回転位置フィードバック値ＦＢＳとに基づき、現在位置から目標ねじ深さに至るまでの主軸１２の残回転量Ｓｒを検出し、回転位置フィードバック値ＦＢＳに基づき主軸１２の現在速度Ｖｃを検出し、最大能力での加速回転の後に、最大加速度Ａ０と残回転量Ｓｒと現在速度Ｖｃとに基づき、主軸１２を最大能力で減速回転させて目標ねじ深さに到達させ、主軸１２を目標ねじ深さで停止させずに、最大能力での減速回転における最大減速度Ａ０（負の値）と同じ逆回転の加速度Ａ０（負の値）で、主軸１２を予め定めた回転位置まで加速逆回転させるものである。
【００７９】
さらにこの制御方法は、制御装置１０が、目標ねじ深さから戻り完了位置に至る間の主軸１２の総戻り回転量Ｓ０′と最高戻り回転速度Ｖ０′とをタップ加工プログラムＰから取得し、最高戻り回転速度Ｖ０′を目標値として、予め定めた回転位置から戻り完了位置に向かって主軸１２を最大能力で加速逆回転させ、総戻り回転量Ｓ０′と主軸１２の回転位置フィードバック値ＦＢＳとに基づき、現在位置から戻り完了位置に至るまでの主軸１２の残戻り回転量Ｓｒ′を検出し、回転位置フィードバック値ＦＢＳに基づき主軸１２の逆回転の現在速度Ｖｃ′を検出し、最大能力での加速逆回転の後に、逆回転の加速度Ａ０（負の値）と残戻り回転量Ｓｒ′と逆回転の現在速度Ｖｃ′とに基づき、主軸１２を最大能力で減速逆回転させるとともに戻り完了位置で停止させるものである。
【符号の説明】
【００８０】
１０、４０、５０    制御装置
１２    主軸
１４    送り軸
１６    数値制御部
１８    主軸制御部
２０    回転検出部
２２    送り軸制御部
２６    主軸指令出力部
２８    送り軸指令出力部
３０    初期動作制御部
３２    最大加速度検出部
３４    残回転量検出部
３６    現在速度検出部
３８    位置決め動作制御部
４２    送り検出部
４４    送り動作制御部
４６    残送り量検出部
４８    位置認識部
５２    同期誤差計算部
５６    表示制御部
【図１】
0006001633.tif 000002
【図２】
0006001633.tif 000003
【図３】
0006001633.tif 000004
【図４】
0006001633.tif 000005
【図５】
0006001633.tif 000006
【図６】
0006001633.tif 000007
【図７】
0006001633.tif 000008
【図８】
0006001633.tif 000009
【図９】
0006001633.tif 000010
【図１０】
0006001633.tif 000011
【図１１】
0006001633.tif 000012
【図１２】
0006001633.tif 000013